(57)【要約】【課題】不正器具による遊技媒体の不正な払い出しを防止する。【解決手段】ガイド通路４０は、ホッパ装置から払い出されたメダルをスロットマシンの受け部にまで案内する。回動板４１は、一端４１ａが回転軸４５に回転可能に軸着され、他端４１ｂが側壁４０ｂとの間にメダル通路を形成する払出し姿勢で保持されている。制御板４２は、一端４２ａが回転軸４７に回転可能に軸着され、他端４２ｂが回動板４１との間にメダル通路を形成する第１姿勢で保持されている。制御板４２は、所定角度回転した回動板４１を受け部５０で受け止め、阻止部５１でメダルの流下を阻止する。所定角度を超えて回動した回動板４１は、制御板の受け部５０を押圧することにより、制御板４２を回動させる。阻止部材４３は、回動板４１が阻止部５１よりも上流側に位置したときに、回動板４１及び制御板４２が払出し姿勢及び第１姿勢に復帰することを阻止する。【選択図】図３
2010269011.tif 000002
【特許請求の範囲】
【請求項１】
遊技機の筐体内に設けられたホッパ装置が送出したメダルを前記筐体外に設けられた受け皿に排出するメダルの払出し通路装置において、
対向する一対の側壁を含む筒形状を有し、前記ホッパ装置からのメダルを上流側で受け入れて下流側の前記受け皿にメダルを流下させるガイド通路と、
前記側壁の一方に一端が回動可能に軸着され、他端が前記ガイド通路内の下流側に位置するように傾斜して前記他端と前記側壁の他方との間にメダルの通過路を形成する払出し姿勢で保持され、下流側からの押圧を受けたときには前記一端を中心に上流側に回動する回動板と、
前記側壁の他方に一端側が軸着され他端側が前記ガイド通路内に突出して前記払出し姿勢で保持された回動板との間にメダルの通過路を形成する第１姿勢で保持され、前記払出し姿勢から前記回動板が上流側に所定角度回動したときに回動板を受け止め、前記回動板と協同して前記ガイド通路内をメダルが流下することを阻止する制御板と、
前記回動板が下流側からの押圧により前記所定角度を超えて上流側に回動することにより、前記回動板が前記制御板のうち前記メダルの流下を阻止する部分よりも上流側に位置したときに、前記回動板と制御板とが前記払出し姿勢及び第１姿勢に復帰することを阻止する阻止手段とを備えることを特徴とするメダル払出し通路装置。
【請求項２】
前記制御板には、前記制御板が前記阻止手段により第１姿勢への復帰が阻止されている第２姿勢にある場合に、前記回動板が上流側に一定角度以上回転することを阻止する回転阻止部が設けられていることを特徴とする請求項１記載のメダルの払出し通路装置。
【請求項３】
前記制御板は、前記回動板を受け止める受け部と前記メダルが流下することを阻止する阻止部とが一体に形成され、前記阻止部が上流側の面に、前記受け部が下流側の面に設けられた略直方体状の板部材からなり、前記阻止手段は、前記制御板の下面であって前記一端側の近傍に設けられた突起部であることを特徴とする請求項１または２記載のメダルの払出し通路装置。
【発明の詳細な説明】
【技術分野】
【０００１】
本発明は、パチンコ店などの遊技場に設置して使用されるスロットマシン等の遊技機に搭載されるメダルの払出し通路装置に関するものである。
【背景技術】
【０００２】
パチンコ店などの遊技場に設置されるスロットマシンは、パチスロ機と称されている。パチスロ機は、メダルなどの遊技媒体を投入することにより、遊技が可能となる。遊技の結果、入賞となった場合には、パチスロ機の内部に設けられたホッパ装置が、入賞の程度に応じて所定枚数のメダルを払い出す。ホッパ装置から払い出されたメダルは、略筒状のガイド通路を通って、パチスロ機の払出口から受け皿へと排出される。
【０００３】
ガイド通路が、針金などの異物を挿入することが可能な状態に開放されていると、そのような異物をホッパ装置にまで到達させ、ホッパ装置を誤作動させることによって、メダルを不正に払い出させる不正行為が行われるおそれがある。ここで、針金などの異物は、不正行為を行うために用いる器具であることから、以下、不正器具と称する。
【０００４】
この問題に対して、特許文献１では、ガイド通路にクランク部を２以上設け、ガイド通路におけるメダルの流下経路をクランク状にすることによって、不正器具がホッパ装置にまで侵入することを困難にしている。
【先行技術文献】
【特許文献】
【０００５】
【特許文献１】特開２００８−２３７６３７号公報
【発明の概要】
【発明が解決しようとする課題】
【０００６】
しかしながら、特許文献１では、不正器具をホッパ装置に侵入することを困難にしているものの、入賞によりメダルを払い出していないときであっても、ガイド通路を完全には閉鎖していない。したがって、不正器具をクランク状のメダルの流下経路に沿って変形等させながら挿入した場合には、不正器具がホッパ装置にまで侵入してしまうおそれがある。また、特許文献１のガイド通路はクランク状になっているため、不正器具をガイド通路に一度挿入するだけではメダルの流下経路を見つけ出すことはできないが、不正器具の先端の向きを変えながら何度も挿入した場合には、メダルの流下経路が見つけ出されてしまうおそれがある。
【０００７】
本発明は、針金などの不正器具による遊技媒体の不正な払い出しを防止することができるメダルの払出し通路装置を提供することを目的とする。
【課題を解決するための手段】
【０００８】
上記目的を達成するために、本発明は、遊技機の筐体内に設けられたホッパ装置が送出したメダルを前記筐体外に設けられた受け皿に排出するメダルの払出し通路装置において、対向する一対の側壁を含む筒形状を有し、前記ホッパ装置からのメダルを上流側で受け入れて下流側の前記受け皿にメダルを流下させるガイド通路と、前記側壁の一方に一端が回動可能に軸着され、他端が前記ガイド通路内の下流側に位置するように傾斜して前記他端と前記側壁の他方との間にメダルの通過路を形成する払出し姿勢で保持され、下流側からの押圧を受けたときには前記一端を中心に上流側に回動する回動板と、前記側壁の他方に一端側が軸着され他端側が前記ガイド通路内に突出して前記払出し姿勢で保持された回動板との間にメダルの通過路を形成する第１姿勢で保持され、前記払出し姿勢から前記回動板が上流側に所定角度回動したときに回動板を受け止め、前記回動板と協同して前記ガイド通路内をメダルが流下することを阻止する制御板と、前記回動板が下流側からの押圧により前記所定角度を超えて上流側に回動することにより、前記回動板が前記制御板のうち前記メダルの流下を阻止する部分よりも上流側に位置したときに、前記回動板と制御板とが前記払出し姿勢及び第１姿勢に復帰することを阻止する阻止手段とを備えることを特徴とする。
【０００９】
前記制御板には、前記制御板が前記阻止手段により第１姿勢への復帰が阻止されている第２姿勢にある場合に、前記回動板が上流側に一定角度以上回転することを阻止する回転阻止部が設けられていることによって、回動板が不正器具により更に押圧されたとしても、回動板と制御板との間に隙間ができることがないため、メダルが払い出されない状態を維持することができる。
【００１０】
前記制御板は、前記回動板を受け止める受け部と前記メダルが流下することを阻止する阻止部とが一体に形成され、前記阻止部が上流側の面に、前記受け部が下流側の面に設けられた略直方体状の板部材からなり、前記阻止手段は、前記制御板の下面であって前記一端側の近傍に設けられた突起部であることによって、制御板全体をコンパクトにすることができるため、ガイド通路における制御板の設置スペースを抑えることができる。
【発明の効果】
【００１１】
本発明によれば、ガイド通路の一方の側壁に設けられた回動板が不正器具により下流側から押圧されたときであっても、回動板は、他方のガイド通路の側壁に設けられた制御板と協同して、ガイド通路内におけるメダルの流下を阻止する状態にすることから、不正器具がホッパ装置にまで到達することを阻止することができる。これにより、不正器具による遊技媒体の不正な払い出しを防止することができる。
【図面の簡単な説明】
【００１２】
【図１】スロットマシンの外観を示す斜視図である。
【図２】スロットマシンの下部の内部を示す斜視図である。
【図３】第１実施形態におけるガイド通路の断面図である。
【図４】第１実施形態におけるガイド通路をメダル通過可能な状態からメダル通過不可能な状態にするフローを説明するための説明図である。
【図５】第１実施形態におけるガイド通路をメダル通過不可能な状態からメダル通過可能な状態にするフローを説明するための説明図である。
【図６】第２実施形態におけるガイド通路の断面図である。
【図７】第２実施形態におけるガイド通路をメダル通過可能な状態からメダル通過不可能な状態にするフローを説明するための説明図である。
【図８】第３実施形態におけるガイド通路の断面図である。
【図９】第３実施形態におけるガイド通路をメダル通過可能な状態からメダル通過不可能な状態にするフローを説明するための説明図である。
【発明を実施するための形態】
【００１３】
図１に示すように、本発明の第１実施形態のスロットマシン（遊技機）１０は、筐体１１と、この筐体１１の前面に回動自在に取り付けられた前面扉１２とを備えている。前面扉１２は、上部扉１２ａ及び下部扉（扉）１２ｂの２つの扉からなり、これらは図示しないヒンジを介して個別に筐体１１に取り付けられている。下部扉１２ｂの前面側方には、ドアキーシリンダー１３が設けられており、このドアキーシリンダー１３に専用のドアキーを差し込んで回転させると、下部扉１２ｂの施錠が解除される。これにより、下部扉１２ｂを回動させて、筐体１１の前面下部を開放することができる。また、下部扉１２ｂを開放すると、上部扉１２ａと筐体１１との係合を解除して上部扉１２ａを開放することができ、これにより、筐体１１の前面上部を開放することが可能になる。上部扉１２ａ及び下部扉１２ｂは全開にするとその開放角度が９０度になる。
【００１４】
上部扉１２ａの中央部には、透明な表示窓１４が設けられている。この表示窓１４の奥には、第１リール１５ａ、第２リール１５ｂ、第３リール１５ｃが設けられている。第１〜第３リール１５ａ〜１５ｃの外周面には複数種類の図柄が配列されており、リールの回転が停止すると、１リール当たり３個の図柄が表示窓１４を通して表示される。スロットマシン１０では、各リールの図柄を結ぶ直線状の入賞ラインが横に３本、斜めに２本の合計５本設定されており、これら入賞ライン上に所定の組み合わせで図柄が並んだ時に当選役が入賞する。
【００１５】
表示窓１４の側方には、液晶ディスプレイ１６が設けられている。液晶ディスプレイ１６からは、筐体１１内で貯留しているメダルが尽きたことを示すエンプティーエラーやメダル詰まりエラー、他のエラーなしに下部扉１２ｂが開放中であることを示す扉開放エラーなど、各種のエラー表示がなされる。表示窓１４の上方には一対のスピーカ１７が設けられており、遊技中やエラー処理の際に音楽や音声が出力される。
【００１６】
下部扉１２ｂの前面には、遊技の開始に先立ってメダルが投入されるメダル投入口１８、遊技を開始するスタートレバー１９、第１〜第３リール１５ａ〜１５ｃの回転を停止させる第１〜第３ストップボタン２０ａ〜２０ｃなどが設けられている。メダルの投入後にスタートレバー１９が押下されると当選役抽選が行われて複数種類の当選役のいずれか又はハズレが決定される。
【００１７】
当選役は、入賞すると通常モードよりもペイアウト率（１枚のメダル投入に対して払い出されるメダルの枚数の割合）が高いＢＢモードに移行するＢＢ（ビックボーナス）、入賞すると次遊技をメダルの投入なしに行うことができるリプレイ、入賞すると規定枚数のメダルが払い出される複数種類の小役から構成されている。小役が入賞した場合は、メダル払出口２１からメダル受け皿（受け皿）２２にメダルが払い出される。
【００１８】
図２に示すように、筐体１１内には、ホッパ装置３０が設けられている。ホッパ装置３０にはメダル投入口１８から投入されたメダルを貯留するバケット３１が取り付けられている。ホッパ装置３０にはメダル投出口３２が形成されており、メダル投出口３２から払い出されたメダルは、払出し通路装置（メダルの払出し通路装置）３８及びメダル払出口２１介して、メダル受け皿２２に払い出される。
【００１９】
図３に示すように、払出し通路装置３８は、筒形状のガイド通路４０と、回動板４１と、制御板４２と、阻止部材（阻止手段）４３とを備えている。ガイド通路４０は、上流側にホッパ装置３０が、下流側にメダル受け皿２２が位置するように設けられており、対向する一対の側壁４０ａ，４０ｂ備えている。ガイド通路４０は、下流側に向かうにつれて、重力が作用する方向である下方向に傾斜している。したがって、ホッパ装置のメダル投出口３２から払い出されたメダルは、自重によって、ガイド通路４０内を下方向に流下する。ガイド通路４０を出たメダルは、メダル受け皿２２に放出される。
【００２０】
回動板４１は、一端４１ａが、ガイド通路の側壁４０ａに設けられた回転軸４５に対して回動可能に軸着されている。また、回動板４１は、不正器具により下流側からの押圧が無いときには、傾斜状の突起部４６で保持されて、他端４１ｂがガイド通路４０の内の下流側に位置するように傾斜している。このとき、回動板の他端４１ｂはもう一方の側壁４０ｂとの間にメダルの通過路を形成しており、ホッパ装置のメダル投出口３２から払い出されたメダルは、回動板４１上を傾いた状態で落下する。そして、回動板４１から滑り落ちたメダルは、メダル払出口２１からメダル受け皿２２へと払い出される。したがって、回動板４１は、不正器具等により下流側からの押圧が無いときには、メダル受け皿２２に対してメダルの払出しが可能な払出し姿勢に保持される一方、下流側から押圧されたときには、回動板４１は一端４１ａを中心として上流側に回動する。
【００２１】
ここで、回動板４１が払出し姿勢に有る場合には、ホッパ装置３０からのメダルは回動板４１で傾いた状態で落下することから、ガイド通路４０内におけるメダルの経路は、回動板４１で落下方向を変えながらメダル払出口２１に向かう略屈曲状を有している。このようにメダルの経路が略屈曲状を有していることで、不正器具を単に略鉛直上方向に挿入しただけでは、不正器具は回動板４１によりホッパ装置３０側への侵入が阻止されるため、不正行為を行うことは困難である。
【００２２】
制御板４２は受け部５０、阻止部５１、係合部５２を備えており、一端４２ａが、ガイド通路４０の側壁４０ｂに設けられた回転軸４７に対して回動可能に軸着されている。また、受け部５０側の他端４２ｂはガイド通路４０内に突出しており、他端４２ｂと回動板４１との間にメダルの通過路を形成している。このときの制御板４２の状態を第１姿勢という。なお、受け部５０と阻止部５１とは回転軸４７を中心に９０°だけ離間している。
【００２３】
これに対して、回動板４１が払出し姿勢から所定角度回転したときには、受け部５０が回動板４１を受け止める。そして、回動板４１が所定角度を超えて上流側に回動し、回動板４１の押圧を受けて制御板４２が上流側に回動する。回動板４１及び制御板４２がそれぞれ協同して上流側に回動し、回動板４１が制御板の阻止部５１よりも上流側に位置したときに、係合部５２が阻止部材４３の係合部５７に係合されるとともに、阻止部５１が、下流側から回動板４１を支持する。
【００２４】
この状態のときに、制御板４２は、ホッパー装置３０から払い出されたメダルの流下を阻止部５１で阻止する。また、制御板の他端４２ｂと回動板４１との間が閉鎖されるため、ガイド通路４０内をメダルが通過することが阻止される。したがって、メダルの流下経路を見つけ出すために、何度もガイド通路４０内に不正器具が挿入された場合であっても、不正器具により一度でも回動板４１が制御板４２にまで押し上げられてしまうと、メダルの通路が塞がれてしまう。よって、不正器具によりメダルの流下経路を見つけ出すことは困難であるため、不正器具のホッパ装置３０側への侵入を確実に阻止することができる。また、不正器具６２の押し上げが無い限り制御板４２と回動板４１との間は閉鎖されないため、回動板４１が制御板の阻止部５１よりも上流側の位置にあることは、不正行為があったことの証拠となる。
【００２５】
阻止部材４３は、中心部がガイド通路の側壁４０ｂに設けられた回転軸５５に回動可能に軸着されており、阻止部材本体５６と、制御板の係合部５２と係合する係合部５７と、係合部５７を上流側または下流側に回転させて制御板の係合部５２と係合させ又はその係合を解除する操作部５８とを備えている。係合部５７は阻止部材本体５６の一端側であってガイド通路４０の内側に設けられており、操作部５８は阻止部材本体５６の他端側であってガイド通路４０の外側に設けられている。また、阻止部材本体５６の上流側には、係合部５７が上流側に一定以上回転することを阻止するストッパ６０が設けられている。
【００２６】
操作部５８の重さは係合部５７の重さよりも大きくされているため、通常は、操作部５８は自重で下流側に下がる一方、係合部５７はストッパ６０で一定角度以上、上流側に回転することが阻止される、このとき、阻止部材４３は制御板の係合部５２と係合可能な状態であり、係合部５７と制御板の係合部５２とが係合したときには、回動板４１は払出し姿勢に、制御板４２は第１姿勢に復帰することが阻止される。そして、操作部５８に対して上流側に力を加えることで、係合部５７は下流側に下がり、制御板の係合部５２との係合が解除される。これにより、回動板４１は払出し姿勢に、制御板４２は第１姿勢に復帰する。
【００２７】
次に、本発明の第１実施形態における作用を説明する。スロットマシンのメダル投入口１８にメダルを投入し、スタートレバー１９を操作すると、第１〜第３リール１５ａ〜１５ｃが回転する。そして、第１〜第３ストップボタン２０ａ〜２０ｃを押下すると、第１〜第３リール１５ａ〜１５ｃの回転が停止する。このとき、入賞ライン上に各リール１５ａ〜１５ｃの図柄が揃ったときなどに、入賞となる。これにより、入賞の程度に応じた枚数のメダルが、ホッパ装置３０から、払出し通路装置３８を介してメダル払出口２１へと払い出される。ここで、不正器具により回動板４１が押圧されない限り、図３に示すように、回動板の他端４１ｂとガイド通路の側壁４０ｂとの間、及び制御板の他端４２ｂと回動板４１との間はメダル通過可能な状態となっている。
【００２８】
これに対して、不正器具により回動板４１が押圧された場合には、図４（A）に示すように、回動板４１は不正器具６２がホッパ装置３０側に到達することを阻止する。また、回動板４１が押圧されることで、回動板４１は上流側へと回転する。そして、図４（B）に示すように、回動板４１が所定角度回転したときに、制御板の受け部５０は回動板４１を上流側から受け止める。そして、回動板４１が所定角度を超えて上流側に回転したときに、制御板４２も上流側へと回転する。
【００２９】
そして、図４（C）に示すように、回動板４１及び制御板４２がそれぞれ協同して上流側に回転し、回動板４１が制御板の阻止部５１よりも上流側に位置したときに、制御板の係合部５２と阻止部材の係合部５７とが係合するとともに、制御板の阻止部５１が回動板４１を支持する。制御板４２は、阻止部材の係合部５７と係合することで、回動板４１は払出し姿勢に、制御板４２は第１姿勢に復帰することが阻止される。また、回動板４１と制御板４２との間は閉鎖されるため、ガイド通路４０はメダル通過不可能な状態となる。
【００３０】
次に、ガイド通路４０をメダル通過可能な状態にし、遊技を再開する場合には、図５（A）に示すように、阻止部材４３の操作部５８を上流側に持ち上げて、係合部５７を下流側に回転させることにより、制御板の係合部５２と阻止部材の係合部５７との係合を解除する。係合が解除されると、図５（B）に示すように、回動板４１は自重で下流側に回転する。これにより、回動板４１は払出し姿勢に復帰するとともに、制御板４２は第１姿勢へと復帰する。また、回動板４１の他端４１ｂとガイド通路の側壁４０ｂとの間、及び制御板４２の他端４２ｂと回動板４１との間はメダル通過可能な状態となる。
【００３１】
一方、制御板の係合部５２と阻止部材の係合部５７との係合が解除された後は、阻止部材の操作部５８の持ち上げを止めることで、操作部５８が下流側に回転し、これに従って係合部５７が上流側に回転する。係合部５７の回転がストッパ６０で阻止されると、阻止部材４３は制御板の係合部５２と係合可能な状態となる。
【００３２】
次に、本発明の第２実施形態におけるスロットマシンを説明する。第２実施形態のスロットマシンは、第１実施形態のスロットマシンのうち、制御板のみが異なり、それ以外は同様である。したがって、制御板以外の説明は省略する。
【００３３】
図６に示すように、制御板７０は受け部７２、阻止部７３、回転阻止部７４、係合部７５を備えており、一端７０ａが回転軸４７に対して回動可能に軸着されている。また、受け部７２を構成する他端はガイド通路４０内に突出しており、その他端と回動板４１との間にメダルの通過路を形成している。このときの制御板７０の状態を第１姿勢という。
【００３４】
これに対して、回動板４１が払出し姿勢から所定角度回転したときには、受け部７２が回動板４１を受け止める。そして、回動板４１が所定角度を超えて上流側に回動し、回動板４１の押圧を受けて制御板７０が上流側に回動する。回動板４１及び制御板７０がそれぞれ協同して上流側に回動し、回動板４１が制御板の阻止部７３よりも上流側に位置したときに、係合部７５が阻止部材の係合部５７と係合するとともに、阻止部７３が下流側から回動板４１を支持する。これにより、回動板４１は払出し姿勢に、制御板４２は第１姿勢に復帰することが阻止される。また、制御板７０の他端と回動板４１との間が閉鎖されるため、ガイド通路４０内をメダルが通過することが阻止される。また、回動板４１を支持している阻止部７３は、ホッパー装置３０から払い出されたメダルの流下を阻止する。
【００３５】
回動阻止部７４は、阻止部７３で支持された回動板４１が回動板４１が一定角度以上、上流側に回転することを阻止する。したがって、阻止部７３で支持された回動板４１の移動可能範囲は、阻止部７３と回転阻止部７４との間に制限されている。これにより、阻止部７３で支持された回動板４１が不正器具により更に押し上げられたとしても、回動板４１と制御板７０との間の閉鎖状態が維持することができる。そのため、不正器具が回動板４１及び制御板７０を超えて、ホッパ装置３０側に到達することはない。
【００３６】
次に、本発明の第２実施形態における作用を説明する。メダル投入から入賞によるメダル払出までの流れは、第１実施形態と同様であるので説明を省略する。ここで、ガイド通路４０は、不正器具を用いた不正行為が無い限り、図６に示すように、制御板７０と回動板４１との間が開放状態とされているため、メダル通過可能な状態となっている。
【００３７】
これに対して、不正器具を用いた不正行為が有る場合には、図７（A）に示すように、回動板４１は、メダル払出口２１から挿入された不正器具６２が、ホッパ装置３０側に到達することを阻止する。また、回動板４１が押圧され、所定角度回転したときに、制御板の受け部７２は回動板４１を上流側から受け止める。そして、回動板４１が所定角度を超えて上流側に回転したときに、制御板７０も上流側へと回転する。
【００３８】
そして、図７（Ｂ）に示すように、回動板４１及び制御板７０がそれぞれ協同して上流側に回動し、回動板４１が制御板の阻止部７３よりも上流側に位置したときに、制御板の係合部７５と阻止部材の係合部５７とが係合するとともに、制御板の阻止部７３が回動板４１を支持する。これにより、回動板４１は払出し姿勢に、制御板４２は第１姿勢に復帰することが阻止される。また、回動板４１と制御板７０との間が閉鎖されるため、ガイド通路４０はメダル通過不可能な状態となる。また、回転阻止部７４は、阻止部７３で支持された回動板４１が一定角度以上、上流側に回転することを阻止することによって、回動板４１と制御板７０との間の閉鎖状態を維持する。
【００３９】
次に、本発明の第３実施形態におけるスロットマシンを説明する。第３実施形態のスロットマシンは、第１実施形態のスロットマシンの制御板が異なり、また第１実施形態のスロットマシンにおける阻止部材を有していない。それら以外は第１実施形態のスロットマシンと同様である。
【００４０】
図８に示すように、制御板８０は略直方体状の板部材で構成され、受け部８２、阻止部８３を備えている。受け部８２及び阻止部８３は制御板８０に一体に形成されており、受け部８２は制御板８０の下流側の面に、阻止部８３は上流側の面に設けられている。突起部８４は制御板８０の下面のうち一端８０ａ側近傍に設けられており、この突起部８４がガイド通路４０の側壁４０ｂに当接しているときには、突起部８４は、制御板８０がガイド通路の側壁４０ｂに対して直交するように支持している。
【００４１】
また、制御板８０は、一端８０ａが回転軸４７に対して回動自在に軸着されている。また、他端８０ｂはガイド通路４０内に突出しており、払出し姿勢にある回動板４１との間にメダルの通過路を形成している。このときの制御板８０の状態を第１姿勢という。これに対して、回動板４１が払出し姿勢から所定角度回転したときには、受け部８２が回動板４１を受け止める。そして、回動板４１が所定角度を超えて上流側に回動することにより、回動板４１の押圧を受けて制御板８０が上流側に回動し、突起部８４がメダル通路の側壁４０ｂから離れる。回動板４１及び制御板８０がそれぞれ協同して上流側に回動し、回動板４１が制御板の阻止部８３よりも上流側に位置したときに、突起部８４はメダル通路の側壁４０ｂに再び当接し、阻止部８３が下流側から回動板４１を支持する。これにより、制御板８０が第１姿勢に復帰することが阻止されるとともに、回動板４１が払出し姿勢に復帰することが阻止される。また、回動板４１を支持する阻止部８３は、ホッパー装置３０から払い出されたメダルの流下を阻止する。
【００４２】
次に、本発明の第３実施形態における作用を説明する。メダル投入から入賞によるメダル払出までの流れは、第１実施形態と同様であるので説明を省略する。ここで、ガイド通路４０は、不正器具を用いた不正行為が無い限り、図８に示すように、制御板８０と回動板４１との間が開放状態とされているため、メダル通過可能な状態となっている。
【００４３】
これに対して、不正器具を用いた不正行為が有る場合には、図９（A）に示すように、回動板４１は、メダル払出口２１から挿入された不正器具６２が、ホッパ装置３０側に到達することを阻止する。また、回動板４１が押圧され、所定角度回転したときに、制御板の受け部８２は回動板４１を上流側から受け止める。そして、回動板４１が所定角度を超えて上流側に回転したときに、制御板８０も上流側へと回転し、突起部８４がメダル通路の側壁４０ｂから離れる。
【００４４】
そして、図９（Ｂ）に示すように、回動板４１及び制御板８０がそれぞれ協同して上流側に回動し、回動板４１が制御板の阻止部８３よりも上流側に位置したときに、メダル通路の側壁４０ｂから離れていた突起部８４が再び側壁４０ｂに当接し、制御板の阻止部８３が回動板４１を支持する。これにより、制御板が第１姿勢に復帰することが阻止されるとともに、回動板４１が払出し姿勢に復帰することを阻止される。また、回動板４１と制御板８０との間が閉鎖され、ガイド通路４０はメダル通過不可能な状態となる。
【００４５】
なお、第１〜第３実施形態では、制御板と回動板との間を閉鎖し、ガイド通路をメダル通過不可能な状態にしたときに、不正行為があったことの報知を行なってもよい。
【００４６】
また、第１〜第３実施形態では、スロットマシンに搭載したメダルの払出し通路装置を例示したが、本発明は、パチンコ機等の他の遊技機にも適用することができる。
【００４７】
また、第３実施形態では、制御板をガイド通路に対して回動可能に軸着し、回動板の押圧を利用して制御板を回転させることによって、制御板と回動板との間を閉鎖したが、これに代えて、可撓性の制御板をガイド通路の側壁に対して直交させた状態で固着させ、回動板の押圧によって、回動板が制御板を乗り越えるように制御板を変形させてもよい。このように回動板が制御板を乗り越え、回動板が制御板よりも上流側に位置することで、回動板と制御板との間が閉鎖される。そして、回動板が制御板を乗り越えた後は、再度制御板を撓ませてからでないと、回動板を元に戻すことができないようにすることで、回動板と制御板との間の閉鎖状態を維持することができる。
【符号の説明】
【００４８】
１０  スロットマシン
３０  ホッパ装置
３８  払出し通路装置（メダルの払出し通路装置）
４０  ガイド通路
４１  回動板
４２，７０，８０  制御板
４３  阻止部材（阻止手段）
５０，７２，８２  受け部
５１，７３，８３  阻止部
７４  回転阻止部
８４  突起部（阻止手段）
【図１】
2010269011.tif 000003
【図２】
2010269011.tif 000004
【図３】
2010269011.tif 000005
【図４】
2010269011.tif 000006
【図５】
2010269011.tif 000007
【図６】
2010269011.tif 000008
【図７】
2010269011.tif 000009
【図８】
2010269011.tif 000010
【図９】
2010269011.tif 000011